(57)【要約】【課題】個々のユーザの睡眠に関する状態を把握することができる睡眠状態判定装置を提供する。【解決手段】測定されたユーザの生体情報を取得する測定結果取得部と、取得された生体情報に基づいて、前記ユーザが離床しているか入床しているかを判定し、前記ユーザが入床していると判定した場合、前記ユーザが覚醒しているか入眠したかを判定する状態判定部と、前記状態判定部に判定された判定結果を出力する出力部を有する。【選択図】図１
2020000371.tif 000002
【特許請求の範囲】
【請求項１】
測定されたユーザの生体情報を取得する測定結果取得部と、
取得された生体情報に基づいて、前記ユーザが離床しているか入床しているかを判定し、前記ユーザが入床していると判定した場合、前記ユーザが覚醒しているか入眠したかを判定する状態判定部と、
前記状態判定部により判定された判定結果を出力する出力部
を有する睡眠状態判定装置。
【請求項２】
前記状態判定部は、睡眠状態を判定する変数である第１判定変数に対応する期間に取得された前記生体情報に基づいて、前記生体情報に含まれる心拍数を示す情報の全てに、所定の閾値以上の心拍数が示される場合に、前記ユーザが入床していると判定する
請求項１に記載の睡眠状態判定装置。
【請求項３】
前記状態判定部は、前記ユーザが入床したと判定した後、第２判定変数に対応する期間に取得された生体情報に基づいて、前記生体情報に含まれる体動の有無を示す情報の全てに、体動ありが示される場合に前記ユーザが覚醒していると判定し、前記ユーザが覚醒していると判定ない場合に前記ユーザが入眠したと判定する
請求項１又は請求項２に記載の睡眠状態判定装置。
【請求項４】
前記状態判定部は、前記ユーザが入眠したと判定した後、第３判定変数に対応する期間に取得された生体情報に基づいて、前記第３判定変数に対応する期間より少ない第４判定変数に対応する期間に取得された前記生体情報に含まれる体動の有無を示す情報の全てに、体動ありが示される場合に前記ユーザが覚醒したと判定する
請求項１から請求項３の何れか一項に記載の睡眠状態判定装置。
【請求項５】
前記状態判定部は、前記ユーザが入眠したと判定した後、第５判定変数に対応する期間に取得された生体情報に基づいて、前記生体情報に含まれる体動の有無を示す情報の全てに、体動ありが示される場合に前記ユーザが寝返りをしたと判定する
請求項１から請求項４の何れか一項に記載の睡眠状態判定装置。
【請求項６】
前記状態判定部は、前記ユーザが寝返りをしていないと判定する場合、前記ユーザが入眠したと判定した後の第６判定変数に対応する期間に取得された生体情報に基づいて、前記生体情報に含まれる体動の有無を示す情報の全てに、体動なしが示される場合に前記ユーザに床ずれ対応が必要と判定する
請求項１から請求項５の何れか一項に記載の睡眠状態判定装置。
【請求項７】
前記状態判定部に判定された判定結果が、所定のアラーム通知条件を充足する場合、所定の通知先に当該判定結果を通知するアラーム通知部
を更に備える
請求項１から請求項６の何れか一項に記載の睡眠状態判定装置。
【請求項８】
前記アラーム通知部は、前記ユーザがいる場所を示す場所情報と共に、前記状態判定部に判定された判定結果を、所定の通知先に通知する
請求項７に記載の睡眠状態判定装置。
【請求項９】
請求項１から請求項７の何れか一項に記載の睡眠状態判定装置と、
前記睡眠状態判定装置から複数のユーザの判定結果をそれぞれ受信し、受信した複数のユーザの判定結果を一覧にして表示する管理者端末
を有する睡眠状態判定システム。
【請求項１０】
測定結果取得部が、測定されたユーザの生体情報を取得する測定結果取得工程と、
状態判定部が、取得された生体情報に基づいて、前記ユーザが離床しているか入床しているかを判定し、前記ユーザが入床していると判定した場合、前記ユーザが覚醒しているか入眠したかを判定する状態判定工程と
出力部が、前記状態判定部に判定された判定結果を出力する出力工程
を有する睡眠状態判定方法。
【発明の詳細な説明】
【技術分野】
【０００１】
本発明は、睡眠状態判定装置、睡眠状態判定方法、及び睡眠状態判定システムに関する。
【背景技術】
【０００２】
生体から生体情報を取得して、睡眠状態の指標となる情報を取得する睡眠状態測定装置がある（例えば、特許文献１参照）。このような睡眠状態測定装置を用いることで、生体の心拍、呼吸等を把握することができる。さらに、生体情報は、レム睡眠やノンレム睡眠等の睡眠の質を推定するための情報として用いることもできる。
一方、ホテルや医療施設、及び介護施設など、ユーザの宿泊を伴う施設においては、ユーザが適切な睡眠をとれているか、夜間に定期的に確認する見守りを行っている。このような施設に特許文献１に記載の技術を用いれば、ユーザの睡眠の質を把握して、適切な睡眠をとれているか否かを把握することができる。
【先行技術文献】
【特許文献】
【０００３】
【特許文献１】特開２０１７−０６４３３８号公報
【発明の概要】
【発明が解決しようとする課題】
【０００４】
しかしながら、夜間においては、ホテルや施設側の人員が少なくなるため、複数のユーザを見守ろうとした場合、見回りの間隔が長くなってしまう場合がある。見回りの間隔が長くなってしまうと、見回りと見回りの間にユーザが覚醒した場合、覚醒したユーザに直ちに対応することが難しくなってしまうという問題があった。
【０００５】
本発明は、このような事情に鑑みてなされたもので、その目的は、個々のユーザの睡眠に関する状態を把握することができる睡眠状態判定装置、睡眠状態判定方法、及び睡眠状態判定システムを提供することにある。
【課題を解決するための手段】
【０００６】
上述した課題を解決するために、本発明は、測定されたユーザの生体情報を取得する測定結果取得部と、取得された生体情報に基づいて、前記ユーザが離床しているか入床しているかを判定し、前記ユーザが入床していると判定した場合、前記ユーザが覚醒しているか入眠したかを判定する状態判定部と、前記状態判定部に判定された判定結果を出力する出力部を有する睡眠状態判定装置である。
【０００７】
また、本発明は、測定結果取得部が、測定されたユーザの生体情報を取得する測定結果取得工程と、状態判定部が、取得された生体情報に基づいて、前記ユーザが離床しているか入床しているかを判定し、前記ユーザが入床していると判定した場合、前記ユーザが覚醒しているか入眠したかを判定する状態判定工程と、出力部が、前記状態判定部に判定された判定結果を出力する出力工程を有する睡眠状態判定方法である。
また、本発明は、上記に記載の睡眠状態判定装置と、前記睡眠状態判定装置から複数のユーザの判定結果をそれぞれ受信し、受信した複数のユーザの判定結果を一覧にして表示する管理者端末を有する睡眠状態判定システムである。
【発明の効果】
【０００８】
以上説明したように、この発明によれば、ユーザの入床及び離床を判定し、ユーザが入床していると判定する場合には入眠したか覚醒しているかを判定するため、個々のユーザの睡眠に関する状態を把握することができる。
【図面の簡単な説明】
【０００９】
【図１】実施形態の睡眠状態判定システム１の構成を示す構成図である。
【図２】実施形態の睡眠状態の表示例を示す図である。
【図３】実施形態の睡眠状態の表示例を示す図である。
【図４】実施形態の睡眠状態の表示例を示す図である。
【図５】実施形態の管理者端末６０の管理画面の一例を示す図である。
【図６】実施形態の管理者端末６０の管理画面の一例を示す図である。
【図７】実施形態の睡眠状態判定装置１０の動作例を示すフローチャートである。
【図８】実施形態の睡眠状態判定装置１０の動作例を示すフローチャートである。
【図９】実施形態の変形例における睡眠状態判定システム１Ａの構成を示す構成図である。
【発明を実施するための形態】
【００１０】
以下、本発明の一実施形態による睡眠状態判定システム、及び睡眠状態判定装置について図面を参照して説明する。
【００１１】
図１は、実施形態の睡眠状態判定システム１の構成を示す構成図である。
図１に示すように、睡眠状態判定システム１は、例えば、睡眠状態判定装置１０、センサシート２０、通信制御装置３０、端末装置４０、印刷装置５０、管理者端末６０及び通信ネットワーク７０を備える。睡眠状態判定装置１０、センサシート２０、通信制御装置３０、端末装置４０、印刷装置５０及び管理者端末６０の各々は、通信ネットワーク７０を介して通信可能に接続される。
【００１２】
睡眠状態判定装置１０は、通信制御装置３０から、ユーザの生体情報を取得する。ここで、生体情報には、例えば、ベッドにいるユーザの心拍数や呼吸数、体動の有無及びユーザの睡眠の深さを示す情報が含まれる。ここでの睡眠の深さは、例えば、特許文献１に記載の技術を用いて心拍間隔の瞬時位相と呼吸パターンの瞬時位相との間の位相差に基づく位相コヒーレンスλを算出することにより導出されてよい。しかしながら、ユーザの睡眠の深さは、睡眠の深さを判定する指標となり得る情報に基づいて導出される情報であればよく、例えば、ユーザの自律神経のバランス、ストレス度合い、或いはリラックス度合い等を示す情報に基づいて導出されてよい。
【００１３】
睡眠状態判定装置１０は、取得したユーザの生体情報に基づいて、睡眠状態を判定する。睡眠状態は、睡眠の状態であって、例えば、ユーザが入床しているか離床しているか、入床している場合には覚醒しているか入眠したか等を示す情報である。ここで、睡眠状態には、入眠した後の状態（睡眠が継続中であるか、或いは覚醒したか）や、入眠した後の睡眠中の寝返りの有無や、床ずれに対する対応（以下、床ずれ対応という）が必要か否かを判定した情報が含まれる。
睡眠状態判定装置１０は、受信したユーザの生体情報及び睡眠状態の判定結果を示す情報を、所定の送信先に送信する。ここでの送信先は、例えば、端末装置４０や管理者端末６０である。
【００１４】
センサシート２０は、シート型のセンサであって、例えば、膜厚方向に働く圧力を検知する圧電センサである。センサシート２０は、例えば、ユーザが就寝するベッドのマットレスの下、或いはマットレスが二層構造である等、複数のマットレスが設けられている場合にはマットレスとマットレスとの間に設けられ、ベッドにユーザがいる場合におけるユーザの動きを検知する。センサシート２０は、検知した結果を通信制御装置３０に出力する。
【００１５】
通信制御装置３０は、センサシート２０により検知された電気信号を取得する。通信制御装置３０は、取得した電気信号を解析することにより、ユーザの生体情報を算出する。通信制御装置３０は、例えば、取得した電気信号にフィルタ処理を行なうことにより、心拍や呼吸及び体動に対応する所定の周波数帯域の信号を抽出し、抽出した信号に基づいて単位時間あたりの心拍数や呼吸数及び体動の有無を算出する。また、通信制御装置３０は、算出したユーザの心拍数等に基づいて、ユーザの睡眠の深さ（例えば、位相コヒーレンスλ）を算出する。通信制御装置３０は、算出したユーザの生体情報を、睡眠状態判定装置１０に送信する。
【００１６】
端末装置４０は、例えば、ユーザが就寝する部屋に設けられたタブレット端末、又はノート型或いはデスクトップ型のパーソナルコンピュータ等である。或いは、端末装置４０は、ユーザが所有するスマートフォンやタブレット端末等であってもよい。例えば、睡眠状態判定システム１が介護施設や病院等に適用された場合、端末装置４０は、ユーザの家族や、ユーザを担当する介護従事者や医療従事者等が所持するスマートフォン等であってもよい。
また、端末装置４０には、睡眠状態判定装置１０から送信される情報に基づいて、ユーザの生体情報及び睡眠状態の判定結果を表示するアプリケーションプログラムがインストールされている。端末装置４０は、当該アプリケーションプログラムを起動させ、睡眠状態判定装置１０から生体情報及び睡眠状態の判定結果を示す情報を受信する。端末装置４０は、当該アプリケーションプログラムの動作により、受信した生体情報や睡眠状態の判定結果を示す情報を表示画面に表示する。或いは、端末装置４０は、ＷＥＢ（Ｗｏｒｌｄ  Ｗｉｄｅ  Ｗｅｂ）ブラウザから、生体情報や睡眠状態を表示する個別のＵＲＬ（Ｕｎｉｆｏｒｍ  Ｒｅｓｏｕｒｃｅ  Ｌｏｃａｔｏｒ）にアクセスし、ＷＥＢアプリ上で生体情報や睡眠情報を見ることもできる。これにより、睡眠状態判定システム１が介護施設や病院等に適用された場合、端末装置４０を所持する医療従事者等は、ユーザの睡眠状態を把握することができる。
なお、端末装置４０は、生体情報、又は睡眠状態の判定結果を示す情報の一方のみを受信してもよい。この場合、端末装置４０は、例えば、睡眠状態判定装置１０により睡眠中のユーザが覚醒したと判定された場合に、その旨を電子メールの通知等により受信する。これにより、端末装置４０を所持する医療従事者等は、睡眠中であったユーザが覚醒したことを把握することができる。
【００１７】
管理者端末６０は、睡眠状態判定装置１０を管理する管理者の端末装置である。管理者端末６０は、睡眠状態判定装置１０からユーザの生体情報及び睡眠状態の判定結果を示す情報を受信する。管理者端末６０は、受信したユーザの生体情報及び睡眠状態の判定結果を示す情報として、後述する「全ユーザの睡眠状態リアルタイム一覧画面」、「各ユーザの睡眠状態リアルタイム詳細画面」及び「バイタルレポート」（図２から図４参照）を表示画面に表示したり、印刷装置５０に出力して印刷したりする。
例えば、睡眠状態判定システム１が介護施設や病院等に適用された場合、管理者端末６０は、介護従事者や医療従事者が常駐する場所、例えばナースステーション等、に設けられる端末装置である。この場合、管理者端末６０は、受信した生体情報及び睡眠状態を判定した結果を示す情報に基づいて、ユーザの睡眠状態、つまりユーザが入床しているか離床しているか、覚醒しているか睡眠中であるか等を把握することができる。これにより、消灯後にユーザが入床したか、夜中に目を覚ましていないか等を把握することができる。
【００１８】
また、管理者端末６０は、アラームを通知する条件であるアラーム通知条件を設定する。ここでの、アラームは、ユーザの睡眠状態が特定の条件を充足する場合に、端末装置４０や管理者端末６０を閲覧する管理者等に、通知するアラームである。管理者端末６０は、アラーム通知条件を設定することにより、例えば、夜中に覚醒したユーザがいる場合などに、その旨の通知を受けることができ、ユーザの体調に変化が生じていないか様子を見に行く等、早期の対策を行うことが可能となる。
例えば、管理者端末６０は、アラーム通知条件を設定する設定項目が表示された管理画面（図５参照）を表示し、キーボードやマウス等の入力装置（不図示）から、管理者等の入力操作により設定項目に対して入力された設定値を取得し、取得した値を後述する睡眠状態判定装置１０のアラーム条件記憶部１０７に記憶させる。
【００１９】
また、管理者端末６０は、睡眠状態の判定に用いられる各種パラメータ（以下、判定変数ともいう）を設定する。ここでの、判定変数は、例えば、入床や覚醒等を判定する際に用いられる変数である。管理者端末６０は、判定変数を個別に設定することにより、施設の環境や、寝具の状態、及び施設におけるユーザの平均年齢などに応じて、入床や覚醒等と判定する条件を変更させることができ、より精度よく入床や覚醒等を判定することが可能となる。
例えば、管理者端末６０は、各種パラメータの設定を行う設定項目が表示された管理画面（図６参照）を表示し、キーボードやマウス等の入力装置から、管理者等の入力操作により設定項目に対して入力された設定値を取得し、取得した値を後述する睡眠状態判定装置１０の判定閾値記憶部１０３に記憶させる。
【００２０】
印刷装置５０は、管理者端末６０から出力された「全ユーザの睡眠状態リアルタイム一覧画面」、「各ユーザの睡眠状態リアルタイム詳細画面」及び「バイタルレポート」を印刷する。
通信ネットワーク７０は、例えば、インターネット、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、プロバイダ装置、無線基地局、専用回線などのうちの一部または全部を含む通信網である。
【００２１】
また、図１に示すように、睡眠状態判定装置１０は、例えば、測定結果取得部１０１、状態判定部１０２、判定閾値記憶部１０３、アラーム通知部１０４、出力部１０５、生体情報記憶部１０６及びアラーム条件記憶部１０７を備える。
【００２２】
測定結果取得部１０１は、測定されたユーザの生体情報を定期的（例えば、５秒毎）に取得する。測定結果取得部１０１は、センサシート２０により検出された電気信号に基づき、通信制御装置３０により測定されたユーザの生体情報を、通信制御装置３０から取得する。測定結果取得部１０１は、取得したユーザの生体情報を生体情報記憶部１０６に記憶させる。
【００２３】
状態判定部１０２は、生体情報に基づいて睡眠の状態を判定する。
状態判定部１０２は、例えば、生体情報に含まれる心拍数を示す情報に基づいて、ユーザが入床しているか離床しているかを判定する。具体的には、状態判定部１０２は、取得したユーザの心拍数が所定の閾値Ｔｈ以上であり、尚且つ、所定の期間Ｔ１の間継続して検知された場合、ユーザが入床していると判定する。ここで入床の判定に用いられる入床変数（例えば、閾値Ｔｈ、及び期間Ｔ１、等）は、判定変数の一例である。特に、期間Ｔ１は、「第１判定変数」の一例である。
入床変数は、例えば、判定閾値記憶部１０３に記憶される。この場合、状態判定部１０２は、判定閾値記憶部１０３を参照して取得した入床変数を用いて、ユーザが入床しているか否かの判定を行う。
一方、状態判定部１０２は、ユーザが入床していると判定しない場合に、ユーザが離床していると判定する。状態判定部１０２は、ユーザが入床しているか否かを示す情報を、アラーム通知部１０４及び出力部１０５に出力する。
【００２４】
状態判定部１０２は、ユーザが入床していると判定した場合、生体情報に含まれる体動を示す情報に基づいて、ユーザが覚醒しているか入眠したかを判定する。具体的には、状態判定部１０２は、入床していると判定された生体情報よりも後に取得されたユーザの体動が、所定の期間Ｔ２の間継続して体動ありとして検知された場合、ユーザが覚醒していると判定する。ここで、入床後の覚醒の判定に用いられる入床後の覚醒変数（例えば、期間Ｔ２、等）は、判定変数の一例である。特に、期間Ｔ２は、「第２判定変数」の一例である。
入床後の覚醒変数は、例えば、判定閾値記憶部１０３に記憶される。この場合、状態判定部１０２は、判定閾値記憶部１０３を参照して取得した入床後の覚醒変数を用いて、入床しているユーザが覚醒しているか否かの判定を行う。
一方、状態判定部１０２は、ユーザが入床していると判定した場合において、ユーザが覚醒していると判定しない場合に、ユーザが入眠したと判定する。
状態判定部１０２は、ユーザが覚醒しているか入眠したかを示す情報を、アラーム通知部１０４及び出力部１０５に出力する。
【００２５】
状態判定部１０２は、ユーザが入眠したと判定した場合、生体情報に含まれる体動を示す情報に基づいて、ユーザが睡眠を継続させている（睡眠中である）か、覚醒したかを判定する。具体的には、状態判定部１０２は、入眠したと判定された生体情報よりも後に所定の期間Ｔ３の間継続して取得されたユーザの体動が、所定の期間Ｔ４の間継続して体動ありとして検知された場合、入眠したユーザが覚醒したと判定する。ここで、入眠後の覚醒の判定に用いられる入眠後の覚醒変数（例えば、期間Ｔ３、Ｔ４等）は、判定変数の一例である。特に、期間Ｔ３は、「第３判定変数」の一例であり、期間Ｔ４は、「第４判定変数」の一例である。
入眠後の覚醒変数は、例えば、判定閾値記憶部１０３に記憶される。この場合、状態判定部１０２は、判定閾値記憶部１０３を参照して取得した入眠後の覚醒変数を用いて、入眠後のユーザが覚醒したか否かの判定を行う。
一方、状態判定部１０２は、ユーザが入眠したと判定した後において、ユーザが覚醒したと判定しない場合に、ユーザが睡眠を継続させている（睡眠中である）と判定する。
状態判定部１０２は、入眠後のユーザが覚醒したか睡眠中であるかを示す情報を、アラーム通知部１０４及び出力部１０５に出力する。
【００２６】
状態判定部１０２は、ユーザが入眠したと判定した場合、生体情報に含まれる体動を示す情報に基づいて、ユーザが寝返りをしたか否かを判定する。具体的には、状態判定部１０２は、入眠したと判定された生体情報よりも後に取得されたユーザの体動が、所定の期間Ｔ５の間継続して体動ありとして検知された場合、ユーザが寝返りをしたと判定する。ここで、寝返りの判定に用いられる寝返り変数（例えば、期間Ｔ５、等）は、判定変数の一例である。特に、期間Ｔ５は、「第５判定変数」の一例である。
寝返り変数は、任意に設定されてよいが、例えば、期間Ｔ５は、上述した入眠後における覚醒の判定に用いられる期間Ｔ４よりも短い期間に設定される。
寝返り変数は、例えば、判定閾値記憶部１０３に記憶される。この場合、状態判定部１０２は、判定閾値記憶部１０３を参照して取得した寝返り変数を用いて、ユーザが寝返りをしたか否かの判定を行う。
状態判定部１０２は、ユーザが寝返りをしたか否かを示す情報を、アラーム通知部１０４及び出力部１０５に出力する。
【００２７】
状態判定部１０２は、ユーザが寝返りをしていないと判定した場合、生体情報に含まれる体動を示す情報に基づいて、床ずれ対応が必要か否かを判定するようにしてもよい。具体的には、状態判定部１０２は、入眠したと判定された生体情報よりも後に取得されたユーザの体動に基づいて所定の期間Ｔ６の間継続して寝返りなし判定する場合、ユーザに床ずれ対応が必要と判定する。ここで床ずれ対応の要否の判定に用いられる床ずれ変数（例えば、期間Ｔ６）は、判定変数の一例である。特に、期間Ｔ６は、「第６判定変数」の一例である。
床ずれ変数は、例えば、判定閾値記憶部１０３に記憶される。この場合、状態判定部１０２は、判定閾値記憶部１０３を参照して取得した床ずれ変数を用いて、ユーザに床ずれ対応が必要か否かの判定を行う。
状態判定部１０２は、ユーザに床ずれ対応が必要か否かを示す情報を、アラーム通知部１０４及び出力部１０５に出力する。
【００２８】
判定閾値記憶部１０３は、例えば、睡眠状態を判定する際に用いられる判定変数（例えば、上述した閾値Ｔｈ、期間Ｔ１〜Ｔ５）を記憶する。睡眠状態判定装置１０の制御部（不図示）は、例えば、予め設定された判定変数を判定閾値記憶部１０３に記憶させる。また、睡眠状態判定装置１０の制御部は、管理者端末６０の管理画面に表示された判定変数の設定項目に対して設定値が変更された場合、変更された判定変数における変更後の設定値を、判定閾値記憶部１０３に記憶させる。
【００２９】
アラーム通知部１０４は、睡眠状態判定装置１０により判定された睡眠状態が、所定のアラーム通知条件を充足する場合にアラームを通知する。アラーム通知部１０４は、例えば、管理者端末６０の管理画面等を介して予め設定された電子メールアドレスに、アラームを通知する。これにより、端末装置４０や管理者端末６０が受信可能な電子メールアドレスが設定されている場合、端末装置４０や管理者端末６０を閲覧する管理者等にアラームを通知することができる。
【００３０】
出力部１０５は、測定結果取得部１０１により取得された生体情報、及び状態判定部１０２により判定された睡眠状態を示す情報を出力する。出力部１０５は、例えば、生体情報や睡眠状態を示す情報を、端末装置４０や管理者端末６０に送信する。
【００３１】
生体情報記憶部１０６は、測定結果取得部１０１により取得されたユーザの生体情報を記憶する。測定結果取得部１０１は、例えばユーザを識別する識別情報を対応付けてユーザの生体情報を記憶する。
【００３２】
アラーム条件記憶部１０７は、アラーム通知条件を記憶する。睡眠状態判定装置１０の制御部は、例えば、予め設定されたアラーム通知条件をアラーム条件記憶部１０７に記憶させる。また、睡眠状態判定装置１０の制御部は、管理者端末６０の管理画面に表示されたアラーム通知条件の設定項目に対し、設定値が変更された場合、変更されたアラーム通知条件における変更後の設定値をアラーム条件記憶部１０７に記憶させる。
【００３３】
ここで、睡眠状態の表示について図２から図４を用いて説明する。図２から図４は、実施形態の睡眠状態の表示例を示す図である。図２では「全ユーザの睡眠状態リアルタイム一覧画面」、図３では「各ユーザの睡眠状態リアルタイム詳細画面」及び図４では「バイタルレポート」の例が示されている。
図２に示すように、睡眠状態は、例えば、複数のユーザにおける睡眠状態を一覧にした「全ユーザの睡眠状態リアルタイム一覧画面」の状態で示される。画像６００は、例えば、睡眠状態判定装置１０から睡眠状態を受信した管理者端末６０の表示画面に表示される画像である。この例では、介護施設を利用する複数のユーザにおける睡眠状態が一覧で示された場合の例を示している。画像６００は、領域６０１〜６０３により構成される。
【００３４】
領域６０１には、睡眠状態判定システム１を導入した施設の名称、及び現在日時等の書誌的事項が掲載される。
領域６０２には、「一覧表示」というタイトルで、睡眠状態判定装置１０が設置された設置場所ごとに、ユーザの氏名（利用者）、離入床、心拍数、呼吸数、睡眠状態及び設置期間がそれぞれ掲載される。この例では、領域６０２の下部の凡例に示すように、離入床が離床と入床の各々に対応させたアイコンの表示で示され、ユーザの睡眠の深さが、覚醒、睡眠１〜睡眠４の各々の状態に対応させたアイコンの表示により示される。
また、領域６０２には、「詳細表示」と示された欄６０２Ａ、「レポート表示」と示された欄６０２Ｂ、「データ出力」と示された欄６０２Ｃ、及び日付が設定可能な欄６０２Ｄがそれぞれ掲載される。管理者端末６０の表示画面には、ユーザの全員における現在の状態を一覧で示す「全ユーザの睡眠状態リアルタイム一覧画面」が表示される。個別のユーザが選択された上で「詳細表示」の欄６０２Ａがマウスのクリック操作等により選択されると、管理者端末６０は、表示画面に、欄６０２Ｄに設定された日付における「各ユーザの睡眠状態リアルタイム詳細画面」を表示させる。なお、欄６０２Ｄに日付が設定されない状態で欄６０２Ａがクリックされた場合には、現在の日付における「各ユーザの睡眠状態リアルタイム詳細画面」が表示される。
また、個別のユーザが選択された上で「レポート表示」の欄６０２Ｂが選択されると、管理者端末６０は、表示画面に、欄６０２Ｄに設定された日付における「バイタルレポート」を表示させる。「バイタルレポート」には、個別のユーザの過去の日付における平均的なバイタルデータ（心拍数、呼吸数、睡眠時間、熟睡度等）が示されている。
また、「データ出力」欄６０２Ｃが選択されると、管理者端末６０は、表示画面に表示された情報を印刷装置５０に出力する。
【００３５】
領域６０３には、「アラーム履歴」というタイトルで、アラーム通知ごとに、設置場所、ユーザの氏名（利用者）、イベント、及び発生時刻が、掲載される。ここでのイベントは、アラーム通知のトリガとなる睡眠状態を示している。この例では、アラーム通知のトリガとなったイベントとして、「覚醒」、「入床」、「離床」、「通信断」の各々が示されている。この例のように、睡眠状態判定装置１０は、アラーム通知のトリガとして、睡眠状態判定装置１０と通信制御装置３０との間の通信状態を用いてもよい。この場合、例えば、通信制御装置３０は、装置が正常に稼働していることを示すヘルスチェック信号を、定期的に睡眠状態判定装置１０に送信する。そして、睡眠状態判定装置１０は、通信制御装置３０からヘルスチェック信号を受信しない期間が、所定の期間以上となった場合に、管理者端末６０にアラーム通知を行う。
【００３６】
図３に示すように、睡眠状態は、一人のユーザ（この例では、利用者Ａ）における睡眠状態を、グラフ等を用いて詳細に示す「各ユーザの睡眠状態リアルタイム詳細画面」の状態で示されるようにしてもよい。画像６１０は、例えば、図２の領域６０２に表示された「詳細表示」の欄６０２Ａが選択されることにより、表示される画像である。画像６１０は、領域６１１〜６１３により構成される。
【００３７】
領域６１１には、施設の名称、ユーザの氏名（利用者）、及び現在日時等の書誌的事項が掲載される。
領域６１２には、「表示日」というタイトルで、閲覧を所望する日付の睡眠状態を設定する欄が掲載される。「表示内容」というタイトルで、閲覧を所望する内容を選択する欄に、「睡眠」、「心拍」、「呼吸」、「体動」、及び「離入床」を選択するラジオボタンが掲載される。この例では、表示内容として「睡眠」が選択された例を示している。
また、領域６１２には、「比較表示」というタイトルで、表示日と比較する睡眠状態の表示として、「（表示）なし」、「前日（の表示）」、及び「前々日（の表示）」を選択するラジオボタンが掲載される。この例では、比較表示として、「（表示）なし」が設定された例を示している。
領域６１２の下側の部分には、設定した「表示日」、及び「表示内容」に対応する睡眠状態（この例では、所定の日付における睡眠の深さ）の時系列の変化を示すグラフが掲載される。この例では、横軸に時刻、縦軸に睡眠の深さ（睡眠レベル）により睡眠の深さが掲載された例を示す。この例では、「比較表示」の表示は「なし」に設定されているため、先日又は前々日の睡眠の深さを示すグラフが、比較対象として表示されていない。
なお、この例では、睡眠の深さが、「覚醒」、「浅い」、「やや浅い」、「やや深い」及び「深い」の各段階で掲載されている。この睡眠の深さと、図２の領域６０２に表示されたアイコン表示の睡眠の深さとは、同じ指標に基づいて判定されたものであってもよいし、異なる指標に基づいて判定されたものであってもよい。
【００３８】
領域６１３には、「最新状態表示」というタイトルで、管理者端末６０が睡眠状態判定装置１０から受信した睡眠状態を示す情報のうち、最新の睡眠状態が掲載される。この例では、睡眠状態として、「離床・入床」、「入眠・覚醒」、「心拍数」及び「呼吸数」がそれぞれ掲載される例を示している。また、この例では、図２の領域６０２と同様に、離床・入床、及び睡眠の深さがアイコンの表示により示される。
【００３９】
図４に示すように、睡眠状態は、一人のユーザ（この例では、利用者Ａ）における一日の睡眠状態の集計結果を示す「バイタルレポート」の状態で示されるようにしてもよい。画像６１５は、例えば、図２の領域６０２に表示された「レポート表示」の欄６０２Ｂが選択されることにより、表示される画像である。画像６１５は、領域６１６〜６１９により構成される。
【００４０】
領域６１６には、施設の名称（この例では、「○○株式会社」）、及び現在日時等の書誌的事項が掲載される。
領域６１７には、「利用者」というタイトルでユーザを選択する欄が掲載される。「表示日」というタイトルで、閲覧を所望する日付の睡眠状態を設定する欄が掲載される。「表示日の状態」というタイトルで、選択されたユーザにおける設定された日の睡眠時間、心拍数平均、呼吸数平均、睡眠時の体動回数、離床時間合計、入床時間合計及び熟睡度がそれぞれ掲載される。
領域６１８には、領域６１７の「表示日」の欄に設定された日における離入床の時系列の変化を示すグラフが掲載される。この例では、横軸に時刻、縦軸に離床と入床とが示されている。
領域６１９には、領域６１７の「表示日」の欄に設定された日における睡眠の度合い（この例では、覚醒、浅い、やや浅い、やや深い、深い）の時系列の変化を示すグラフが掲載される。この例では、横軸に時刻、縦軸に睡眠の度合いが示されている。
【００４１】
ここで、管理者端末６０の管理画面について図５及び図６を用いて説明する。図５及び図６は、実施形態の管理者端末６０の管理画面の一例を示す図である。図５にはアラーム通知条件を設定する画面、図６には判定変数を設定する画面の例がそれぞれ示されている。
【００４２】
図５に示すように、アラーム通知条件は、例えば、管理者端末６０の管理画面で設定される。アラーム通知条件を設定する画像６２０は、領域６２１、及び６２２により構成される。
領域６２１には、施設の名称、及び現在日時等の書誌的事項が掲載される。
領域６２２には、「システム設定」というタイトルで、アラーム通知条件を設定する欄（アラーム通知設定）が掲載される。アラーム通知設定には、対象イベント、閾値、イベント成立時間、アラーム設定時間帯及びメール通知の項目を備える。また、ぞれぞれの項目がアラーム通知として設定された欄６２２Ａ〜６２２Ｇが掲載される。
対象イベントには、アラーム通知のトリガとなる睡眠状態として、離床や覚醒、心拍数の低下、或いは通信断、等のイベント名称と、そのイベントを選択するチェックボックスが掲載される。この例では、チェックボックスがチェックされたイベント名称が黒色で表示され、チェックされていないイベント名称が灰色で表示される。
閾値は、イベントとして心拍数等の数値を伴う睡眠状態が選択された場合に、イベントの発生とみなす閾値を設定する欄である。この場合、睡眠状態が閾値として設定された値以上（又は未満）となった場合にアラーム通知が行われる。
イベント成立時間は、イベントとして選択した睡眠状態の継続時間を設定する欄である。この場合、イベント成立時間として設定された時間の間、睡眠状態が継続した場合にアラーム通知が行われる。
アラーム設定時間帯は、アラーム通知を行う時間帯の開始時間と終了時間とを設定する欄である。この場合、アラーム設定時間帯にイベントが発生した場合にアラーム通知が行われる。
メール通知には、アラーム通知として電子メールによる通知を行うか否かを選択するチェックボックスが掲載される。また、この例では、「共通の通知先メールアドレス」と掲載された欄に、アラーム通知を行う電子メールのアドレスが表示される。
【００４３】
領域６２２の欄６２２Ａでは、アラーム通知設定として、アラーム設定時間帯（２１：００〜６：００）において、ユーザが離床していると判定された状態が５分開継続した場合との条件が設定されている。また、このアラーム通知の条件を満たした場合にメール通知が行われないように設定されている。
領域６２２の欄６２２Ｂでは、アラーム通知設定として、アラーム設定時間帯（２１：００〜６：００）において、ユーザが離床していると判定された状態が３０分開継続した場合との条件が設定されている。また、このアラーム通知の条件を満たした場合にメール通知が行われるように設定されている。
領域６２２の欄６２２Ｃでは、アラーム通知設定として、アラーム設定時間帯（２１：００〜４：００）において、ユーザが覚醒していると判定された状態が１０分開継続した場合との条件が設定されている。また、このアラーム通知の条件を満たした場合にメール通知が行われないように設定されている。
領域６２２の欄６２２Ｄでは、アラーム通知設定として、アラーム設定時間帯（設定なし）において、ユーザの心拍が２０以下に低下していると判定された状態が３分開継続した場合との条件が設定されている。また、このアラーム通知の条件を満たした場合にメール通知が行われないように設定されている。
領域６２２の欄６２２Ｅでは、アラーム通知設定として、アラーム設定時間帯（設定なし）において、ユーザの心拍が０（ゼロ）に低下していると判定された状態が１分開継続した場合との条件が設定されている。また、このアラーム通知の条件を満たした場合にメール通知が行われるように設定されている。
領域６２２の欄６２２Ｆでは、アラーム通知設定として、アラーム設定時間帯（設定なし）において、ユーザの呼吸が０（ゼロ）に低下していると判定された状態が３分開継続した場合との条件が設定されているが、この条件を満たした場合に、アラーム通知及びメール通知が行われないように設定されている。
領域６２２の欄６２２Ｇでは、アラーム通知設定として、アラーム設定時間帯（設定なし）において、睡眠状態判定装置１０が通信制御装置３０からユーザの情報を受信できない状態が３０分開継続した場合との条件が設定されている。また、このアラーム通知の条件を満たした場合にメール通知が行われるように設定されている。
【００４４】
図６に示すように、判定変数は、例えば、管理者端末６０の管理画面で設定される。判定変数を設定する画像６３０は、領域６３１、及び６３２により構成される。
領域６３１には、施設の名称、及び現在日時等の書誌的事項が掲載される。
領域６３２には、「システム設定」というタイトルで、判定変数を設定する欄（睡眠解析パラメータ）が掲載される。睡眠解析パラメータには、入床判定、離床判定、入眠判定、覚醒判定、寝返り判定、及び床ずれ対応判定の各項目を備える。
【００４５】
各項目には、回数が設定される欄６３２Ａ〜６３２Ｇが設けられる。欄６３２Ａ〜６３２Ｇに設定される回数は、定期的に取得する心拍や体動等の生体情報を取得する回数を示している。例えば、５秒毎に生体情報が取得される場合、連続して６回取得された生体情報には（５×６＝）３０秒分の生体情報が含まれる。つまり、生体情報を取得する回数は、生体情報を取得する期間に対応している。つまり、生体情報を取得する回数は、判定変数の一例である。
【００４６】
入床判定には、連続して心拍を検出する回数を設定する欄６３２Ａが掲載される。この場合、心拍が欄６３２Ａに設定された回数連続して検出された場合に、入床と判定される。
離床判定には、連続して心拍を検出しない回数を設定する欄６３２Ｂが掲載される。この場合、心拍が欄６３２Ｂに設定された回数連続して検出されない場合に、離床と判定される。なお、本実施形態では、上述した入床判定と離床判定のいずれか一方が用いられてよい。この場合、入床判定が用いられた場合には、入床と判定しない場合に離床と判定される。一方、離床判定が用いられた場合には、離床と判定しない場合に入床と判定される。
【００４７】
入眠判定には、連続して心拍を検出する回数を設定する欄６３２Ｃ、及び連続して体動を検出する回数を設定する欄６３２Ｄが掲載される。この場合、心拍が欄６３２Ｃに設定された回数連続して検出され、尚且つ、体動なしが、欄６３２Ｄに設定された回数連続して検出された場合に、入眠したと判定される。
覚醒判定には、連続して体動を検出する回数を設定する欄６３２Ｅ、及び欄６３２Ｅに設定した体動を検出する回数のうち、体動ありを検出する回数を設定する欄６３２Ｆが掲載される。この場合、入眠後、欄６３２Ｅに設定された回数連続して取得した体動のうち、欄６３２Ｆに設定された回数の体動ありが検出された場合に、入眠後に覚醒したと判定される。
【００４８】
寝返り判定には、連続して体動を検出する回数を設定する欄６３２Ｇが掲載される。この場合、入眠後、体動ありが欄６３２Ｇに設定された回数連続して検出された場合に、寝返りを行ったと判定される。
床ずれ対応判定には、連続して体動を検出する時間を設定する欄６３２Ｈが掲載される。この場合、入眠後、体動なしが欄６３２Ｈに設定された時間連続して検出された場合に、床ずれ対応が必要と判定される。
【００４９】
ここで、睡眠状態判定装置１０の動作について図７及び図８を用いて説明する。図７及び図８は、実施形態の睡眠状態判定装置１０の動作例を示すフローチャートである。図７には睡眠状態判定装置１０が行う全体の処理の流れ、図８には睡眠状態判定装置１０が睡眠状態を判定する処理の流れをそれぞれ示している。
【００５０】
図７に示すように、まず、睡眠状態判定装置１０は、所定のレコード数の連続した生体情報を取得する（ステップＳ１００）。レコード数は定期的に取得する生体情報の回数を示す。ここでのレコード数には、図７に示す判定変数の設定画面において入床判定として欄６３２Ａに設定された値（例えば、レコード数＝６）が反映される。
睡眠状態判定装置１０は、取得した生体情報の心拍数が全て所定の閾値Ｔｈ以上であるか否かを判定する（ステップＳ１０１）。
睡眠状態判定装置１０は、心拍数が全て閾値Ｔｈ以上である場合、入床していると判定し（ステップＳ１０２）、睡眠状態を判定する処理（状態判定処理）を行う（ステップＳ１０３）。
一方、睡眠状態判定装置１０は、取得した生体情報の心拍数が所定の閾値Ｔｈ未満である場合、離床していると判定し（ステップＳ１０４）、ステップＳ１００に示す処理に戻る。
【００５１】
図８に示すように、状態判定処理において、まず、睡眠状態判定装置１０は、所定のレコード数の連続した生体情報を取得する（ステップＳ２００）。ここでのレコード数には、図７に示す判定変数の設定画面において入眠判定として欄６３２Ｄに設定された値（例えば、レコード数＝３６）が反映される。
睡眠状態判定装置１０は、取得した生体情報の体動が全て「体動あり」であるか否かを判定する（ステップＳ２０１）。
睡眠状態判定装置１０は、体動が全て「体動あり」である場合、覚醒していると判定する（ステップＳ２０６）。この場合、睡眠状態判定装置１０は、図６に示すアラーム通知条件に応じてアラーム通知を行う。そして、睡眠状態判定装置１０は、ステップＳ１００に示す処理に戻る。
一方、睡眠状態判定装置１０は、体動が全て「体動あり」ではない場合、入眠したと判定する（ステップＳ２０３）。この場合、睡眠状態判定装置１０は、図６に示すアラーム通知条件に応じてアラーム通知を行う。
【００５２】
次に、睡眠状態判定装置１０は、所定のレコード数の連続した生体情報を取得する（ステップＳ２０４）。ここでのレコード数には、図７に示す判定変数の設定画面において覚醒判定として欄６３２Ｅに設定された値（例えば、レコード数＝１２）が反映される。
睡眠状態判定装置１０は、取得した体動のうち所定のレコード数以上の連続した体動が「体動あり」であるか否かを判定する（ステップＳ２０５）。ここでのレコード数には、図７に示す判定変数の設定画面において覚醒判定として欄６３２Ｆに設定された値（例えば、レコード数＝６）が反映される。
睡眠状態判定装置１０は、取得した体動のうち所定のレコード数以上の連続した体動が「体動あり」である場合、覚醒したと判定する（ステップＳ２０６）。この場合、睡眠状態判定装置１０は、図６に示すアラーム通知条件に応じてアラーム通知を行う。そして、睡眠状態判定装置１０は、ステップＳ１００に示す処理に戻る。
【００５３】
また、睡眠状態判定装置１０は、所定のレコード数の連続した生体情報を取得する（ステップＳ２０７）。ここでのレコード数には、図７に示す判定変数の設定画面において寝返り判定として欄６３２Ｇに設定された値（例えば、レコード数＝４）が反映される。
睡眠状態判定装置１０は、取得した生体情報の体動が全て「体動あり」であるか否かを判定する（ステップＳ２０８）。
睡眠状態判定装置１０は、体動が全て「体動あり」である場合、寝返りしたと判定する（ステップＳ２０９）。この場合、睡眠状態判定装置１０は、図６に示すアラーム通知条件に応じてアラーム通知を行う。そして、睡眠状態判定装置１０は、ステップＳ２０３に示す処理に戻る。
一方、睡眠状態判定装置１０は、体動が全て「体動あり」ではない場合、入眠してから所定の期間以上の間、体動なしが継続しているか否かを判定する（ステップＳ２１０）。ここでの所定の時間には、図７に示す判定変数の設定画面において床ずれ対応判定として欄６３２Ｈに設定された値（例えば、３［時間］）が反映される。
睡眠状態判定装置１０は、入眠してから所定の期間以上の間、体動なしが継続している場合、床ずれ対策が必要と判定する（ステップＳ２１１）。この場合、睡眠状態判定装置１０は、図６に示すアラーム通知条件に応じてアラーム通知を行う。そして、睡眠状態判定装置１０は、ステップＳ２０３に示す処理に戻る。
【００５４】
以上説明したように、実施形態の睡眠状態判定装置１０は、生体情報に基づいて、入床しているか離床しているかの判定を行い、入床していると判定する場合に、覚醒しているか入眠したかの判定を行うため、特別な知識を有していなくても、生体情報を基にして睡眠に関する状態を把握することができる。特に、介護施設などにおいては、寝たきりのユーザが多く、入床していても眠っているとは限らない。このため、入床後に入眠したか否か判定することで、ユーザの睡眠時間を正確に把握し、健康管理に役立てることができる。また、入床しているが覚醒しているユーザの存在を把握し、介護従事者がそのユーザの様子を見に行ったり、声掛けを行ったりすることができるため、行き届いた介護を行うことができる。
【００５５】
例えば、ホテルや施設側の見回りにおいては、交代制勤務が多いため、担当者同士が複数のユーザの情報を、その詳細な内容まで引き継ぐことが困難である場合がある。
これに対し、本発明を活用すれば、複数のユーザについての情報、例えば個々のユーザにおける過去の心拍数、呼吸数、寝返り回数、睡眠状態等の情報が閲覧できるため、引継ぎがより容易により確実に実施することが可能である。さらに、見回りの際に、ユーザに変化があった場合には、当該ユーザにおける上記過去の情報に基づいて、その変化の原因を探ることが可能である。また、ユーザにおける上記過去の情報を用いて、施設から離れた遠隔地等にいるユーザの家族へ、ユーザの状況を知らせる資料に活用することも可能である。
【００５６】
また、実施形態の睡眠状態判定装置１０は、睡眠状態を判定した結果を出力することができるため、複数のユーザの睡眠状態を一覧にして表示させることで、管理者は一括して睡眠状態を把握することができる。また、個々のユーザの睡眠状態の履歴を出力することもできるため、ユーザやユーザの家族に対して、睡眠状態の履歴を閲覧して貰うことができ、介護従事者と家族の間でユーザの情報を共有することが可能である。
【００５７】
また、実施形態の睡眠状態判定装置１０は、入眠したと判定した場合、覚醒したか否か、寝返りをしたか否か、及び床ずれ対応が必要か否かをそれぞれ判定するため、入眠後のユーザの状態を把握することができる。このため、入眠したユーザが覚醒した場合に、徘徊等の問題行動が起きる前に介護従事者がそのユーザの様子を見に行くことができ、問題行動を未然に抑制することが可能となる。
また、実施形態の睡眠状態判定装置１０は、覚醒やイベントが発生した場合に、所定の通知先にアラーム通知を行うことができるため、特に夜間など、介護従事者側の人手が少ない場合であっても、アラーム通知に応じて、覚醒しているユーザに対する見回りを優先的に行うことができるため、より確実に必要な介護を行うことが可能となる。
また、実施形態の睡眠状態判定システム１は、睡眠状態判定装置１０と、睡眠状態判定装置１０により判定された複数のユーザの睡眠状態の判定結果を、一覧にして表示する管理者端末６０を有することにより、複数のユーザの睡眠状態を一括して把握することができ、何れのユーザが覚醒したか入眠したかを容易に認識できるため、見回りを効率よく、尚且つ適切なタイミングで行うことが可能となる。
【００５８】
また、上述した睡眠状態判定システム１を、介護施設や病院などの施設に設けられるナースコールシステムと連携させるようにしてもよい。ナースコールシステムは、施設内に入院、或いは入居するユーザと、看護師や介護職員とが連絡を取り合うシステムである。このナースコールシステムにおいては、ユーザからの呼び出しを、看護師等が携帯する携帯端末（ＰＨＳ等）へ転送する機能を備える場合もある。睡眠状態判定システム１を、このようなナースコールシステムと連携させることにより、既存のシステムを利用して、ユーザの睡眠状態やアラーム通知を、担当の看護師等に知らせることが可能となる。
そこで、上述した睡眠状態判定システム１をナースコールシステムと連携させた例について、実施形態の変形例として説明する。以下の説明においては、実施形態と異なる構成についてのみ説明し、同様の構成については同じ符号を付し、その説明を省略する。
【００５９】
図９は、実施形態の変形例における睡眠状態判定システム１Ａの構成を示す構成図である。図９に示すように、睡眠状態判定システム１Ａは、例えば、睡眠状態判定装置１０Ａ、インターフェースサーバ８０及びナースコールシステム９０を備える。端末装置４０、印刷装置５０、管理者端末６０、インターフェースサーバ８０及びナースコールシステム９０の各々は、施設内ＬＡＮ（Ｌｏｃａｌ  Ａｒｅａ  Ｎｅｔｗｏｒｋ）を介して通信可能に接続される。
【００６０】
なお、この図の例では、インターフェースサーバ８０が施設内ＬＡＮに接続され、施設内に設けられた場合を例示しているが、インターフェースサーバ８０は施設の外に設けられていてもよい。この場合、インターフェースサーバ８０は、通信ネットワーク７０に接続し、通信ネットワーク７０及び施設内ＬＡＮを介してナースコールシステム９０と通信を行う。
【００６１】
睡眠状態判定装置１０Ａは、受信したユーザの生体情報及び睡眠状態の判定結果を示す情報を、インターフェースサーバ８０に出力する。睡眠状態判定装置１０Ａは、状態判定部１０２Ａ、アラーム通知部１０４Ａ及び出力部１０５Ａを備える。
状態判定部１０２Ａは、生体情報に基づいて睡眠の状態を判定し、判定した結果を、センサシート２０の設置場所情報と共に、アラーム通知部１０４Ａ及び出力部１０５Ａに出力する。ここで、センサシート２０の設置場所情報は、センサシート２０の設置場所を示す情報であり、例えば、病室番号とベッド番号とを示すものであってもよいし、その病室におけるユーザの氏名などを含むものであってもよい。状態判定部１０２Ａは、例えば、予めセンサシート２０の識別番号と設置場所情報とを対応させた情報を図示しない記憶部に記憶させ、当該記憶部を参照することにより、センサシート２０の設置場所情報を取得する。ここで、センサシート２０の設置場所情報は、「ユーザがいる場所を示す場所情報」の一例である。
【００６２】
アラーム通知部１０４Ａは、状態判定部１０２Ａにより判定された睡眠状態が、所定のアラーム通知条件を充足する場合に、センサシート２０の設置場所情報と共に、インターフェースサーバ８０にアラームを通知する。
出力部１０５Ａは、状態判定部１０２Ａにより判定された睡眠状態を、センサシート２０の設置場所情報と共に、インターフェースサーバ８０に通知する。
【００６３】
インターフェースサーバ８０は、睡眠状態判定装置１０Ａからのアラーム通知、及びユーザの睡眠状態の通知を取得し、取得した通知を、ナースコールシステム９０におけるナースコール親機や、看護師等が携帯する携帯端末（ＰＨＳ等）へ転送する。ここで、インターフェースサーバ８０は、取得した通知のうち何れの通知をナースコールシステム９０に通知するか、何れの通知を何れのナースコール親機、または何れの看護師等が携帯する携帯端末（ＰＨＳ等）に送るのかを選択するようにしてもよい。ここで、インターフェースサーバ８０は、「所定の通知先」の一例である。
【００６４】
具体的には、インターフェースサーバ８０は、睡眠状態判定装置１０Ａからの通知内容を示す電気信号を、ナースコールシステム９０の仕様に応じたナースコール通信用の電気信号に変換し、変換した電気信号を、ナースコールシステム９０の連携アダプター（不図示）へ送信する。
【００６５】
ナースコールシステム９０は、例えば、連携アダプター、ナースコール子機、ナースコール親機及び、ＰＨＳ等の携帯端末を備える。連携アダプターは、ナースコールシステム９０における、種々の通信（例えば、ＰＨＳ等への発信、ナースコール子機からナースコール親機への受発信など）における制御部として機能する。ナースコール子機は、施設の入院患者や入居者が使用する通信端末である。ナースコール親機は、ナースステーション等、看護師や介護職員が待機する場所に設けられた通信基地局である。ＰＨＳ等の携帯端末は、看護師等が勤務中に携帯する携帯端末である。
【００６６】
以上説明したように、実施形態の変形例における睡眠状態判定装置１０Ａは、睡眠の状態に関するアラーム通知を、センサシート２０の設置場所情報と共に、所定の通知先（例えば、インターフェースサーバ８０）に通知する。これにより、実施形態の変形例における睡眠状態判定装置１０Ａにおいては、既存の通信システム（例えば、ナースコールシステム９０）を利用してアラーム通知を行い、睡眠状態の確認が必要なユーザへの対応をより確実に行うことが可能となる。
【００６７】
上述した実施形態における睡眠状態判定システム１（１Ａ）、及び睡眠状態判定装置１０（１０Ａ）の全部又は一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６８】
以上、この発明の実施形態について図面を参照して詳述してきたが、具体的な構成はこの実施形態に限られるものではなく、この発明の要旨を逸脱しない範囲の設計等も含まれる。
【符号の説明】
【００６９】
１、１Ａ…睡眠状態判定システム
１０、１０Ａ…睡眠状態判定装置
１０１…測定結果取得部
１０２…状態判定部
１０３…判定閾値記憶部
１０４…アラーム通知部
１０５…出力部
１０６…生体情報記憶部
１０７…アラーム条件記憶部
２０…センサシート
３０…通信制御装置
４０…端末装置
５０…印刷装置
６０…管理者端末
７０…通信ネットワーク
８０…インターフェースサーバ
９０…ナースコールシステム
【図１】
2020000371.tif 000003
【図２】
2020000371.tif 000004
【図３】
2020000371.tif 000005
【図４】
2020000371.tif 000006
【図５】
2020000371.tif 000007
【図６】
2020000371.tif 000008
【図７】
2020000371.tif 000009
【図８】
2020000371.tif 000010
【図９】
2020000371.tif 000011